(57)【要約】【課題】  電子レンジで加熱して湯切りした後に調理物を移し替えることなくそのまま食器として使用して食することができる電子レンジ調理兼用食器を提供する。【解決手段】  陶磁器又は耐熱ガラス製の楕円状の容器本体１０の一端部の内側に板部材２０の板端を掛止する掛止部１１を３箇所形成し、底面は深底にして段差１２を形成し、板部材２０は容器本体１０と同じ陶磁器又は耐熱ガラス製で略三角形状に形成し、上面中央部に取っ手２１を形成し、端部にパスタＰを縦方向に通して計量する計量孔２２を形成する。【選択図】図１
0003124403.tif 000002
【実用新案登録請求の範囲】
【請求項１】
容器本体に調理物と水を入れて電子レンジで加熱してゆでた後湯切りするための調理容器であって、前記容器本体は上面が開放された陶磁器又は耐熱ガラス製で、容器本体の隅部には板部材を湯切り口が形成されるように容器本体と所定間隔をおいて設け、電子レンジで加熱して湯切りした後に調理物を移し替えることなく食器として使用できるようにしたことをと特徴とする、電子レンジ調理兼用食器。
【請求項２】
容器本体の隅部の内側に板部材の板端を掛止する掛止部を設け、板部材を脱着できるようにした、請求項１記載の電子レンジ調理兼用食器。
【請求項３】
板部材の上面に取っ手を設けた、請求項２記載の電子レンジ調理兼用食器。
【請求項４】
板部材に細長の調理物を縦方向に通して計量するための計量孔を形成した、請求項１〜３いずれか記載の電子レンジ調理兼用食器。
【請求項５】
板部材が容器本体と同じ陶磁器又は耐熱ガラスで構成されたものである、請求項１〜４いずれか記載の電子レンジ調理兼用食器。
【考案の詳細な説明】
【技術分野】
【０００１】
本考案は、パスタを電子レンジで加熱してゆでた後、湯切りするための電子レンジ用調理容器に関する。
【背景技術】
【０００２】
従来、湯切りできる電子レンジ用調理容器が特許文献１に開示されている。この技術は、上面が開放されたポリプロピレン製の容器本体に細長の多数の湯切り孔が一端部に形成された蓋を脱着自在に設けたことを特徴とし、容器本体にパスタと水を入れて電子レンジで加熱してゆでた後、蓋を閉めたまま容器本体を傾けて湯切り孔から湯を排出できるようにしている。ところで、前記技術では食する際に湯切りしたパスタを食器に移し替えて盛り付ける必要があり、食するまでに手間を要する問題があった。
【特許文献１】特開２００４−２４２７０９号公報
【考案の開示】
【考案が解決しようとする課題】
【０００３】
本考案が解決しようとする課題は、従来のこれらの問題点を解消し、電子レンジで加熱して湯切りした後に調理物を移し替えることなくそのまま食器として使用できる電子レンジ調理兼用食器を提供することにある。
【課題を解決するための手段】
【０００４】
かかる課題を解決した本考案の構成は、
１）  容器本体に調理物と水を入れて電子レンジで加熱してゆでた後湯切りするための調理容器であって、前記容器本体は上面が開放された陶磁器又は耐熱ガラス製で、容器本体の隅部には板部材を湯切り口が形成されるように容器本体と所定間隔をおいて設け、電子レンジで加熱して湯切りした後に調理物を移し替えることなく食器として使用できるようにしたことをと特徴とする、電子レンジ調理兼用食器
２）  容器本体の隅部の内側に板部材の板端を掛止する掛止部を設け、板部材を脱着できるようにした、前記１）記載の電子レンジ調理兼用食器
３）  板部材の上面に取っ手を設けた、前記２）記載の電子レンジ調理兼用食器
４）  板部材に細長の調理物を縦方向に通して計量するための計量孔を形成した、前記１）〜３）いずれか記載の電子レンジ調理兼用食器
５）  板部材が容器本体と同じ陶磁器又は耐熱ガラスで構成されたものである、前記１）〜４）いずれか記載の電子レンジ調理兼用食器
にある。
【考案の効果】
【０００５】
本考案によれば、容器本体が陶磁器又は耐熱ガラス製であるから、湯切りした後に別の容器に移し替えて盛り付けることなくそのまま食器として使用でき、湯切り後は直ちに食することができる。
【考案を実施するための最良の形態】
【０００６】
本考案の容器本体は陶磁器又は耐熱ガラスで構成され、食器として使用できる意匠に製作される。容器本体の両側には、湯切り時の火傷を防止するために断熱性の取っ手を取り付けてもよい。板部材としては、容器本体と同じ陶磁器又は耐熱ガラスの他、耐熱性のプラスチック・木材・金属・漆器等が使用できる。板部材は脱着自在に構成するのが使用後の洗浄等において都合が良いが、容器本体に一体的に設けてもよい。以下、本考案の実施例を図面に基づいて具体的に説明する。
【実施例１】
【０００７】
図１〜７に示す実施例は、本考案をパスタの調理に使用した例である。図１は実施例の電子レンジ調理兼用食器の斜視図、図２は図１のＡ−Ａ断面図、図３は実施例の湯切り口の説明図、図４は実施例のパスタの計量を示す説明図、図５は実施例のパスタと水を入れた状態を示す説明図、図６は実施例の湯切りを示す説明図、図７は実施例の食器としての使用を示す説明図である。図中、１０は容器本体、１１は掛止部、１２は段差、２０は板部材、２１は取っ手、２２は計量孔、３０は湯切り口、Ｐはパスタ（調理物）、Ｗは水（湯）である。
【０００８】
本実施例の電子レンジ調理兼用食器は、図１〜３に示すように陶磁器製の楕円状の容器本体１０の一端部の内側に板部材２０の板端を掛止する掛止部１１を３箇所形成し、底面は深底にして段差１２を形成し、板部材２０は容器本体１０と同じ陶磁器製で略三角形状に形成し、上面中央部に取っ手２１を形成し、端部にパスタＰを縦方向に通して計量する計量孔２２を形成している。
【０００９】
まず、図４に示すように板部材２０を容器本体１０の掛止部１１に掛止し、板部材２０の計量孔２２に所定量のパスタＰを縦方向に通して一人分（およそ１００ｇ）を計量し、容器本体１０の対向する段差１２間に掛け渡すように長手方向に揃えて入れる。次いで、図５に示すように容器本体１０に５００ｃｃの水Ｗと少量の塩を入れ、電子レンジ（図示せず）で加熱してゆでる。時間は５００Ｗの電子レンジでおよそ１５分である。このとき、パスタＰの下方は段差１２で空隙が形成されているから、湯Ｗが対流してゆでムラを防止できる。
【００１０】
ゆで上がった後は容器本体１０を電子レンジから取り出し、図６に示すように容器本体１０の板部材２０側を下方へ傾けて湯Ｗを湯切り口３０から排出して湯切りする。このとき、湯切り口３０は口幅が極めて狭いからパスタＰが湯Ｗといっしょに流れ出ることがなく作業性に優れる。湯切りした後は、図７に示すように板部材２０を取り外し、パスタＰにミートソース等をかけて容器本体１０をそのまま食器として使用して食する。
【００１１】
図８に示すのは実施例の電子レンジ調理兼用食器の他の例である。図８は実施例の他の例の電子レンジ調理兼用食器の斜視図である。図中、１３は取っ手である。図８に示す実施例の他の例では、容器本体１０の対向する両側の縁部に発泡合成樹脂など熱伝導性の低い又は断熱性の材料で構成された取っ手１３を取り付け、手袋等を装着せずに湯切りできるようにしている。また、容器本体１０の両側の縁部を側方へ張り出させて鍔部を形成し、鍔部に前記取っ手を取り付けて持ち上げが行い易いようにしてもよい（図示せず）。その他、符号、構成、作用効果は実施例と同じである。
【産業上の利用可能性】
【００１２】
本考案の電子レンジ調理兼用食器は、スパゲティやマカロニ等のパスタの他、素麺などにも応用できる。
【図面の簡単な説明】
【００１３】
【図１】実施例の電子レンジ調理兼用食器の斜視図である。
【図２】図１のＡ−Ａ断面図である。
【図３】実施例の湯切り口の説明図である。
【図４】実施例のパスタの計量を示す説明図である。
【図５】実施例のパスタと水を入れた状態を示す説明図である。
【図６】実施例の湯切りを示す説明図である。
【図７】実施例の食器としての使用を示す説明図である。
【図８】実施例の他の例の電子レンジ調理兼用食器の斜視図である。
【符号の説明】
【００１４】
１０  容器本体
１１  掛止部
１２  段差
１３  取っ手
２０  板部材
２１  取っ手
２２  計量孔
３０  湯切り口
Ｐ  パスタ（調理物）
Ｗ  水（湯）
【図１】
0003124403.tif 000003
【図２】
0003124403.tif 000004
【図３】
0003124403.tif 000005
【図４】
0003124403.tif 000006
【図５】
0003124403.tif 000007
【図６】
0003124403.tif 000008
【図７】
0003124403.tif 000009
【図８】
0003124403.tif 000010